(57)【要約】      （修正有）【課題】５０年も以前に１万ｍ深海迄潜水艦が潜水をしており本当の深海での水圧は私の思考とは全く違っており必ず近い将来に於いて本当の真実が解明される事となる。【解決手段】しっかりと深海部分での耐水圧、耐防水を施工すれば何も恐れる事等は全く無く、満杯にしたペットボトルを１万ｍ深海に投入をしても全く何の事象も起こり得ないものである。【選択図】図１
2013194729.tif 000002
【特許請求の範囲】
【請求項１】
海上海中部分に回転扇電機発生装置、ドラム缶式水流圧発電機の各々設置を行ない、その回転軸部分は図１、図２の通り各々海上部分に設置を行ないその数十ｍ深海でも船中部分の為に１気圧となりその船中、船上部分での発電を行なう事とすれば広大な海上部分での発電を狙ったものである。
まず図１の通り回転扇発電に於いては回転力の重要な要素である「タメ」の強化の為に回転分銅と回転扇内に設置を行ない発電力の強化を行ない同時に台風時等の大波対策も併わせての対応策としての下部部分に空気容器の設置を図３の通り設置を行ない円滑な稼動回転を目指す事とする。
本空気容器内では回転軸部分のみの回転となり上部回転扇よりの排水も回転軸内に設置された排水装置により下部の「海水入量調整機」設置の排出用水槽内に放出がされる事となる。
そして本空気容器は強力な浮力を生じる事となり図３の通り上部回転扇を充分に持ち上げる事等により当然各種装置の設置により最大の懸案事項である荒天時、台風時等の大きな波動時の対処が大きく前進をし、潜水対処法との併用を行ない対処対策が全体で完成する。
そして「深海水噴出防止制御盤装置」の発見に依り本空気容器の海中設置が大きく進展する事となり、本装置の設置がなければ「空気容器」の設置も厳しい事等も検証される事となる。
そして大量の排海水は下部に設置がされた排水設備に放出され上部回転扇の回転稼動の力を借り乍ら又独自のより回転稼動力向上強化の為に別途海水侵入に依る調整の為に「海水入量調整機」を設置をし、同時に上方回転扇部分よりの発電済後の排海水に含まれる空気の船外排出を充分に行なう事とする。
常時大量の排海水を深海部分に放出を行なうものであり、当然上部回転扇の回転数が下部の排水うねり筒２本垂直設置型発電装置の回転数を上回われば、回転扇部分のみの発電が行なわれる事とする。
そして上下の発電用回転軸の回転数が同じであれば図１の通り３箇所の回転稼動力が海上部分の各発電機の回転稼動を行ない発電（海上発電）が行なわれる事となる。
そして本発電設備の狙いは回転速度が多少遅くとも継続稼動回転力が強大であれば発電力に於いては何の心配も無く仮に遅い回転稼動に対する各種回転ギア等の諸装置が設置される事により解消される事となる。
そしてその大量の排海水は上部回転扇内の各分銅の回転慣性力と「排海水回転うねり筒２本垂直設置型発電装置」の２本の垂直落下排海水の連続侵入による強烈な回転力が重なって、その下部に設置された「深海水防圧侵入装置」より外海へと放出される事となる。
その時の排海水中には空気部分は既に上部「海水入量調整機」内の海水入量調整等による空気排出処理が行なわれており、それより下部に放出される排海水には一切の空気は入っていない為に本海中発電での最大の発見である５４ｍ深海でも普通の魚が遊泳している事、鮪は水深数百ｍを時速１００ｋｍの速度で泳ぐ事、又数十ｔの鯨の海中遊泳そして宇宙飛行士が、海中で宇宙遊泳体験訓練を行なう事等々、本排海水の深海放出に於いては全く想像が出来ない位に簡単に大量であればある程その降下排出力が生じ深海水圧等は殆んど起こり得ず、仮に生じるのであれば鮪の泳ぐ速度等は全く説明が出来ない事等、本排海水の深海海中に放出の連続事象により出現発生する放出流路が出現するだけの事となる。
そして図２の如く「ドラム缶式水流圧発電機」の上方回転軸では海上部分での発電が行なわれ下方部分には図示の通り２方法いづれかの設置発電方法による装置の設置により発電が海上部分の広大な場所にて発電が行なわれる事となり、当然本設備は横並びで数基〜数十基設置される事となり、本発電設備より排出される大量の排海水は２図の下部部分に設置された「回転排出ひねり筒」により次々と深海部分に排出がなされ、当然その排海中には空気の混入等は全く無く想像以上に弱い排出力でも継続して上部よりの水重量降下排水流圧と「回転うねり筒」の回転稼動により放出流路の出現が起こり上部よりの大量の排海水が生じる限り完壁な排海水の放出が行なわれる事となる海上発電設備。
【発明の詳細な説明】
【技術分野】
【０００１】  本発明は海中部分での大容量発電の稼動を海上にて行なう全体構想である。【０００２】  各発電船での稼動力を海上に電力として発生さす為の諸設備である。【０００３】  以下の通り図１〜図にて説明する。【０００４】  海上海中部分に各々回転扇、ドラム缶式水流圧発電機の設置を行ないその回転軸を海上の海中船内に設置された各発電機の稼動送電を行なうものであり、大容量発電の為の「分銅」設置」、「容気容器」「大深海水防圧防侵入装置」「深海外海水圧防止底板壁」等々の諸設備を行ないより安全な大容量海中発電を目指した全体海中発電、海上発電である。【０００５】  特許文献  特にありません。
【発明の概要】
【発明が解決しようとする課題】  現時点に於いて世界中で海面下に海中空間を設けての発電施設等は全く考え得なかったものであり、当然海中深海部分での水圧の恐怖に負けていただけの事であり他産業同様に人間が本気で取り組めば必ず大発展を行ない、現在爆発的に増えている世界の人口、又限られた化石燃料の高騰による不況、全く意味の無い燃料棒の処理すら全く展望のない原子力発電等々本海中発電には本当に大きな期待が寄せられる時が必ず来るものです。
【課題を解決するための手段】  １番の課題である深海での設置発電等を出来るだけ海上部分にて行なえる様に思考を行ない、まず海上部分に設備を行ない海上海中部分がいかに広大で安全であるかの証明を行ないながら徐徐に深海部への挑戦を行なう事とし、５０年後には海中トンネル内を高速列車が走る時代が到来する事となる。
【発明の効果】  本海中発電が実現化すれば１番に戦争等の必要性が無くなり世界中が豊かとなり、科学技術で特に海中部門での発達が行なわれ本当の深海水圧の実情が理解される事となる。
【図面の簡単な説明】
【図１】回転扇発電機と排海水回転うねり筒２本垂直設置型発電装置の全体図である。
【図２】ドラム缶式水圧流発発機の海上発電機の設置図と排海水設備の設置図である。
【図３】容気容器を設置する為の詳細図と各部分の課題に対する諸設備図である。
【図４】本海中発電設備による大容量発電には絶体必要な「タメ」部分の説明を他の各タービン発電との違いを記したものである。
【発明を実施するための形態】
〔図１〕
海上部分に設置の回転扇よりの排水を下部に設置の「排海水回転うねり筒２本垂直設置型発電装置」により排水を行ない同回転扇の下部部分に「空気容器」の設置を行ない大波等の対策を施した全体図である。
〔図２〕
大容量発電が可能な「ドラム缶式水流圧発電機」の詳細図とその上方海上発電船と下方の発電方法には二通りの発電方法を図示したものであり、排水方法は回転排出ひねり筒を設置した図である。
〔図３〕
大容量発電に必要な分銅設備による「タメ」の発生と荒天時の大波等えの対応策としての大切な空気容器の設置図と設置方法を記した図である。
〔図４〕
従来の各種蒸気によるタービン発電と本海中発電の狙いと違いとを記した図である。
【図１】
2013194729.tif 000003
【図２】
2013194729.tif 000004
【図３】
2013194729.tif 000005
【図４】
2013194729.tif 000006